(57)【要約】【課題】  特別な施工を必要とすることなく棚板等の装飾用部品を取付けることのできる壁面ブロックおよびこれを用いた壁面パネル構造の提供。【解決手段】  壁面に沿うように配置される壁面ブロックであって、壁面に対して立上がる外枠体が正面視して矩形の枠体部を有し、四辺の枠体部のうち少なくとも隣合う枠体部の外側面に、対向する残りの二辺の枠体部側に向けて窪む凹溝がそれぞれ形成されている壁面ブロックおよびこれを用いた壁面パネル構造。【選択図】  図１
2008248672.tif 000002
【特許請求の範囲】
【請求項１】
壁面に沿うように配置される壁面ブロックであって、壁面に対して立上がる外枠体が正面視して矩形の枠体部を有し、四辺の枠体部のうち少なくとも隣合う枠体部の外側面に、対向する残りの二辺の枠体部側に向けて窪む凹溝がそれぞれ形成されていることを特徴とする壁面ブロック。
【請求項２】
凹溝は、枠体部の前後幅方向の途中に配設されてそれぞれ帯状の底面と、該底面の幅方向端部から立設する側面によって形成されていることを特徴とする請求項１記載の壁面ブロック。
【請求項３】
凹溝を形成した少なくとも二辺の枠体部は、凹溝を介してその幅方向前部が幅方向後部に比べて壁面の面方向に小径に形成されていることを特徴とする請求項２記載の壁面ブロック。
【請求項４】
凹溝どうしは連続していることを特徴とする請求項１ないし請求項３の何れかに記載の壁面ブロック。
【請求項５】
複数の平行な凹溝が、枠体部の前後方向に離間して設けられていることを特徴とする請求項１ないし請求項４の何れかに記載の壁面ブロック。
【請求項６】
両側面のうち後側の側面が、凹溝の底面側の前後幅を反底面側の前後幅に比べて狭くするよう傾斜されていることを特徴とする請求項２ないし請求項５の何れかに記載の壁面ブロック。
【請求項７】
請求項１ないし請求項５の何れかに記載の複数の壁面ブロックどうしを、各ブ壁面ロックにおける凹溝どうしが一方向に連続するように隣合わせて配置した構成とされていることを特徴とする壁面パネル構造。
【請求項８】
四個の壁面ブロックを、凹溝が縦横に連続するよう隣合わせて組付けてなることを特徴とする請求項７記載の壁面パネル構造。
【発明の詳細な説明】
【技術分野】
【０００１】
本発明は、壁面ブロックおよび壁面パネル構造に関する。
【背景技術】
【０００２】
従来の壁面パネル構造として、例えば、特許文献１参照に示すものがある。これは、壁面パネル体としての矩形の壁面ブロックどうしを、壁面に沿うように順次隣接させて、壁面に取付ける構成である。
【特許文献１】特開平５−１４８９２１号公報
【発明の開示】
【発明が解決しようとする課題】
【０００３】
上記従来の壁面パネル構造は、壁面ブロックを隣接させて壁面に沿うよう取付けるものである。ところで、壁面には棚板等の装飾用部品を設けることで装飾性を向上させようとする場合が少なくない。しかしながら上記従来の壁面パネル構造では、それ自体に装飾用部品を設置するための手段を有していないから、装飾用部品を壁面に対して設置するためには、その手段を壁面パネル構造とは別施工として行わなければならなく、手間がかかるという課題があった。
【０００４】
そこで本発明は、特別な施工を必要とすることなく棚板等の装飾用部品を取付けることのできる壁面ブロックおよびこれを用いた壁面パネル構造の提供を課題とする。
【課題を解決するための手段】
【０００５】
本発明は、壁面に沿うように配置される壁面ブロックであって、壁面に対して立上がる外枠体が正面視して矩形の枠体部を有し、四辺の枠体部のうち少なくとも隣合う枠体部の外側面に、対向する残りの二辺の枠体部側に向けて窪む凹溝がそれぞれ形成されていることを特徴としている。
【０００６】
上記構成の壁面ブロックによれば、異なる壁面ブロックどうしをそれらの壁面ブロックの凹溝どうしが連続するよう組合わせて壁面に沿うように配置しようとする際に、隣合う枠体部の外側面に凹溝を形成していることで、その分だけ壁面ブロックの方向を考慮する必要を少なくすることができ、また、凹溝を棚板等の装飾用部品を取付けるように用いることで、壁面ブロックの配置以外に特別な施工を要することなく装飾用部品を壁面ブロックを介して壁面に対して取付けるようにすることが可能である。
【０００７】
ここで装飾用部品とは、それ自体に装飾性を有する部品、あるいはそれ自体の装飾性は低い部品であって該部品を取付けるためのアングル等の取付け用の部材の双方を含む概念である。
【０００８】
本発明の壁面ブロックでは、凹溝は、枠体部の前後幅方向の途中に配設されてそれぞれ帯状の底面と、該底面の幅方向端部から立設する側面によって形成されていることを特徴としている。
【０００９】
上記構成において、特に凹溝を形成する側面に装飾用部品を係止することが可能であり、壁面ブロックの配置以外に特別な施工を要することなく装飾用部品を壁面ブロックを介して壁面に対して取付けるようにすることが可能である。
【００１０】
本発明の壁面ブロックでは、凹溝を形成した少なくとも二辺の枠体部は、凹溝を介してその幅方向前部が幅方向後部に比べて壁面の面方向に小径に形成されていることを特徴としている。
【００１１】
上記構成のように、枠体部の前部を後部に比べて小径に形成することにより、壁面ブロックを壁面に取付けた際に、その前面側から凹溝に向けて装飾用部品の取付け部分を挿入して凹溝に取付けることが可能となる。
【００１２】
本発明の壁面ブロックでは、凹溝どうしは連続していることを特徴としている。
凹溝どうしを連続させることにより、不連続の凹溝とする場合に比べて製造が容易となる。
【００１３】
本発明の壁面ブロックでは、複数の平行な凹溝が、枠体部の前後方向に離間して設けられていることを特徴としている。
上記構成によれば、任意の凹溝を選択して装飾用部品を取付けるようにすることで、壁面ブロックの利便性が向上する。
【００１４】
本発明の壁面ブロックでは、両側面のうち後側の側面が、凹溝の底面側の前後幅を反底面側の前後幅に比べて狭くするよう傾斜されていることを特徴としている。
上記構成によれば、凹溝の反底面側の前後幅が底面側の前後幅をに比べて広くなっているから、装飾用部品の係止部を凹溝に係止し易くなる。
【００１５】
本発明の壁面パネル構造は、上記何れかに記載の複数の壁面ブロックどうしを、各ブ壁面ロックにおける凹溝どうしが一方向に連続するように隣合わせて配置した構成とされていることを特徴としている。
【００１６】
上記構成によれば、一方向に連続した凹溝に対して、例えば長尺の装飾用部品を挿入することが可能である。
【００１７】
本発明の壁面パネル構造は、四個の壁面ブロックを、凹溝が縦横に連続するよう隣合わせて組付けてなることを特徴としている。
この構成によれば、縦横の凹溝を用いてこれに装飾用部品を取付けることが可能になる。
【発明の効果】
【００１８】
本発明の壁面ブロックによれば、四辺の枠体部のうち少なくとも隣合う枠体部の外側面に凹溝がそれぞれ形成されているから、異なる壁面ブロックどうしをそれらの壁面ブロックの凹溝どうしが連続するよう組合わせて壁面に沿うように配置することで、壁面ブロックの配置以外に特別な施工を要することなく装飾用部品を、壁面ブロックを介して壁面に対して取付けるようにすることができる。
【００１９】
本発明の壁面パネル構造では、隣合う壁面ブロックの凹溝どうしを連続させているから、壁面ブロックの配置以外に特別な施工を要することなく長尺の装飾用部品を挿入することができる。
【発明を実施するための最良の形態】
【００２０】
以下、本発明の第一の実施形態に係る壁面パネル構造を、図面に基づいて説明する。
図１に示すように、本発明の壁面パネル構造１は、家屋の壁面２に沿って配置されるもので、パネルユニット３と、パネルユニット３の不測・不要な回動を阻止する回動阻止とパネルユニット３の壁面２方向の間隔を調節（微調節）するための間隔調節とを兼用した間隔調節手段４とを有する。
【００２１】
ここで、パネルユニット３の基本構成を説明する。パネルユニット３は複数個、この場合は四個の壁面ブロック５どうしを組合わせて正面視して矩形のパネルユニット３としているものである。
各壁面ブロック５は、外枠体６と前板体７とを有し、外枠体６と前板体７とはそれぞれ合成樹脂により一体または別体に成形されており、この実施形態では別体に形成されている。
【００２２】
図２に示すように、外枠体６には、正面視して矩形の外枠体６の連続する二辺の枠体部１０，１１の外側面それぞれに、対向する残りの二辺の枠体部１２，１３側に向けて窪む帯状の凹溝１４，１５が形成されている。この凹溝１４，１５は枠体部１０，１１の前後幅途中に形成されている。
【００２３】
凹溝１４，１５はそれぞれ帯状の底面１４ｃ，１５ｃと底面の幅方向端部から垂直に立設する平行な側面１４ａ，１４ｂ，１５ａ，１５ｂによって形成されている。前記二辺の枠体部１０，１１では、パネルユニット３を壁面２に取付けた際に壁面２側に位置する後部１７と、後部１７から前方に向けて突出する前部１６とを有する。凹溝１４，１５は枠体部１０，１１の後部１７と前部１６との境界部分に形成されている。また、二辺の枠体部１０，１１の各凹溝１４，１５は連続しており、且つ同一の深さに形成されている。パネルユニット３を正面視してその中心に対して前部１６は後部１７に比べて小径（小面積）に形成されている。
【００２４】
前記二辺の枠体部１０，１１の外面において、その後部１７と前部１６とは、壁面２に平行な段付き面１８を介して一体的に形成されている。前記二辺の枠体部１０，１１以外の二辺の枠体部１２，１３の外面の後部１７および前部１６は面一の平面に形成されている。
【００２５】
外枠体６の前部１６のうち、凹溝１４，１５どうしが連続する部分に相当する隅部には、正面視して円弧状の湾曲壁２０が形成されている。
【００２６】
パネルユニット３は、壁面２に取付けビス２１によって取付けられるものであり、外枠体６の後部１７のうち、凹溝１４，１５どうしが連続する部分に相当する隅部の後部に、４個の壁面ブロック５どうしを隣接するよう組合わせた状態において、取付けビス２１の胴部２２が挿入される正面視して扇状の小径凹部２３が形成され、該隅部の前部に取付けビス２１の頭部２４が挿入される正面視して扇状の大径凹部２５が、小径凹部２３に連続して形成されている。大径凹部２５と小径凹部２３とは壁面２に沿う段付き面によって連続して形成されている。
【００２７】
取付けビス２１の胴部２２と頭部２４とは、取付けビス２１の径方向の段付き面を介して連続されており、胴部２２の外周面には雄ねじが形成されている。４個の壁面ブロック５どうしを隣接するよう組合わせた状態において、各大径凹部２５と各小径凹部２３とで、径の異なる孔部（後述の中心孔６０）がパネルユニット３の中心に形成される。
なお、孔部の小径側の径は取付けビス２１の胴部２２に比べてわずかに大きくなるよう設定されており、孔部の大径側の径は取付けビス２１の頭部２４に比べてわずかに大きく設定されている。
【００２８】
前記二辺の枠体部１０，１１のうちの一方の枠体部１０の後部１７には、壁面２方向に突出する凸起２６が一体的に形成されている。凸起２６は、枠体部１０の長手方向に間隔を置いて対で形成されている。他方の枠体部１１の後部１７には、隣合う壁面ブロック５の凸起２６が嵌合する嵌合孔２７が形成されている。
凸起２６および嵌合孔２７は、壁面ブロック５どうしを隣接して組付ける組付け手段として用いられるが、この凸起２６および嵌合孔２７は組付け手段としての一例であり、嵌合、被嵌合の関係に限らず、壁面ブロック５どうしを隣接して組付ける手段として係止、被係止の関係を用いてもよい。
【００２９】
凹溝１４，１５どうしが連続する部分に相当する隅部に対角線上で対向する隅部には、間隔調節手段４を構成する調節凹部２８が形成されている。
調節凹部２８は、前後の小径調節凹部３０と、両小径調節凹部３０の間に配置される大径調節凹部３１とを有する。小径調節凹部３０および大径調節凹部３１はともに正面視して扇状に形成されており、四個の壁面ブロック５を組合わせた状態で正面視して円形になるように形成されている。
【００３０】
すなわち、四個の壁面ブロック５を組合わせた状態で、各小径調節凹部３０が組合わされて円柱状の凹部となり、各大径調節凹部３１が組合わされてそれぞれ円柱状の凹部となる。また、凹溝１４，１５は正面視して縦方向一方、横方向一方の双方に形成されることになる。
【００３１】
図３に示すように、小径調節凹部３０の前後、大径調節凹部３１の前後には、後述の調節具３２の前後部が係止する係止壁３３が形成されている。特に、前側の小径調節凹部３０の前係止面３４ａは外枠体６の前隅部から形成されてなり、後側の小径調節凹部３０の後係止面３４ｂは外枠体６の後隅部から形成されてなる。
小径調節凹部３０の小径内周面３５、大径調節凹部３１の大径内周面３６は、調節具３２の外周面が当接可能な当接面とされている。
【００３２】
二辺の枠体部１０，１１以外の二辺の枠体部１２，１３の何れかの前部１６に、壁面２方向に突出した取付け凸起２９が一体的に形成されている。この取付け凸起２６は、図４（ａ），（ｂ）に示すように、前板体７の側部に折曲して形成された枠体部長手方向の取付け片３８に形成された取付け孔４０に嵌合するものである。
前板体７は、前面の平板部４１と、前記取付け片３８とを有し、取付け孔４０に取付け凸起２６を嵌合することで外枠体６と平板部４１とが一体化される。
【００３３】
上記構成の四個の壁面ブロック５どうしを、凸起２６を嵌合孔２７に嵌合させることで組合わせて、正面視して矩形のパネルユニット３としているもので、そのパネルユニット３の対角線の交点に、取付けビス２１を挿入する孔が形成された状態となる。なお、各壁面ブロック５における湾曲壁２０が前記対角線の交点側に位置することになる。
また、パネルユニット３の四隅には、調節具３２の取付け部分が配置される。
【００３４】
前記調節具３２は、パネルユニット３の四隅それぞれに形成された調節凹部２８に嵌合するもので、その前後に、前係止面３４ａ、後係止面３４ｂに摩擦力をもって壁面２に沿う方向で摺動するようにして係止する面を有するものである。あるいは小径調節凹部３０の係止壁３３に摩擦力をもって壁面２に沿う方向で摺動するようにして係止する面を有するものである。
【００３５】
さらに具体的に調節具３２の構成を説明すると、図５（ａ），（ｂ），（ｃ）に示すように、調節具３２は、径方向中心にある円柱部４３と、円柱部４３の外周面から径方向外方に突出する鍔部４４とから形成されている。円柱部４３は前後方向中心部に比べて前後部が大径に形成されている。
【００３６】
鍔部４４は、前側の対の小径鍔部４５，４６と、後側の対の小径鍔部４７，４８と、円柱部４３の軸方向中心にある対の大径鍔部５０，５１とから構成されている。調節具３２の外周面としての各小径鍔部４５，４６，４７，４８および大径鍔部５０，５１の四隅は円弧状に形成されており、その曲率は、当接面としての小径調節凹部３０の小径内周面３５、大径調節凹部３１の大径内周面３６と同一に設定されている。
【００３７】
円柱部４３、はその長手方向中心側の中心部４３ａに比べて前後部４３ｂが大径に形成されている。また、調節具３２の長手方向（前後方向）の長さＬ１は、前係止面３４ａと後係止面３４ｂとの間の長さ（前後の離間距離）に比べて、若干長く設定されている。具体的には、小径鍔部４５の前面および小径鍔部４８の後面にわずかな肉盛り４５ａ，４８ａを形成することで、若干長く設定されている。
【００３８】
この構成により、調節具３２を調節凹部２８に嵌合することで、調節具３２が調節凹部２８に若干の圧入力をもって嵌合されるように設定されている。また、小径鍔部４５，４６，４７，４８がそれぞれ小径調節凹部３０に嵌合して小径鍔部４５，４６，４７，４８の外周面がそれぞれ小径内周面３５に当接可能となり、大径鍔部５０，５１の外周面がそれぞれ大径調節凹部３１の大径内周面３６に当接可能となる。
【００３９】
この実施形態では、上記のように四個の壁面ブロック５を組合わせたパネルユニット３どうしを壁面２に沿って、且つ壁面２に沿う方向の隙間δをもって、間隔調節手段４を用いて組付けるようにするものである。
【００４０】
以下に、複数個のパネルユニット３を壁面２に沿うように縦横に並べて配置するよう施工する場合について説明する。
すなわち、予め壁面２に設置するパネルユニット３を複数個準備しておき、また、パネルユニット３を取付けるための中心を壁面２に対して芯出ししておく。そして、パネルユニット３の中心を、芯出しした位置に位置合わせし、取付けビス２４を、壁面ブロック５の隅部に形成された小径凹部２３および大径凹部２５の組合わせによって正面視して円形に形成されている中心孔６０（図６参照）に挿入して、これを壁面２に螺合する。そうすると、取付けビス２４の段部が小径凹部２３および大径凹部２５の境界面である壁面２方向に沿う段付き面に当接（圧接）し、パネルユニット３が壁面２に取付けられる。
【００４１】
このとき、壁面ブロック５の隅部に形成された小径凹部２３および大径凹部２５の組合わせによって正面視して円形に形成されている中心孔６０があるから、芯出し位置はこの中心孔６０を通して確認することができ、したがってパネルユニット３を確実に芯出し位置に合致する位置に置いて、しかも確実に取付けビス２４を壁面２に螺合することができる。
なお、このようにしてパネルユニット３を壁面２に取付けた状態では、パネルユニット３はその中心に挿通されている取付けビス２４のみで支持されているから、パネルユニット３は壁面２に対して回動し易い状態となっている。
【００４２】
上記作業を、縦列あるいは横列一列について行う。その後、調節具３２を上下、あるいは左右に隣合うパネルユニット３の調節凹部２８どうしに渡すようにして嵌合するようにする。このとき、調節具３２の長手方向の長さＬ１は、前係止面３４ａと後係止面３４ｂとの間の長さに比べて、若干長く設定されているから調節具３２を調節凹部２８に渡すように嵌合することで、調節具３２が調節凹部２８に若干の圧入力をもって嵌合されることになり、その圧入力によって隣合うパネルユニット３どうしが固定されることになる。つまり、調節具３２を調節凹部２８に渡すようにして嵌合（連結）することにより、パネルユニット３単体では壁面２に対してその壁面２に沿うように回動し易い状態が解消される。
なお、左右に隣合うパネルユニット３の調節凹部２８に調節具３２を嵌合した状態では、調節具３２の略半分が上方に突出した状態となっている。
【００４３】
上記のようにして例えば横列一列のパネルユニット３の取付けを終了したら、当該一列のパネルユニット３を構成する各パネルユニット３の上方に、予め芯出ししていた位置を目安に、パネルユニット３を取付ける。このとき、既に取付けてある調節具３２の突出した部分に、上方のパネルユニット３の調節凹部２８が嵌合するようにして該パネルユニット３を壁面２に取付ける（図６参照）。
【００４４】
ここで、隣合うパネルユニット３どうしを壁面２方向に沿うよう配置するにあたり、予め壁面２方向に沿う所定の間隔を置くようにするものであるが、当該間隔と、パネルユニット３の調節凹部２８の径を加えた距離は、調節具３２の鍔部４４の径に比べて若干大きくなるように設定されている。
【００４５】
具体的に、パネルユニット３どうしを隣合うように配置した状態において、前記間隔と調節凹部２８の小径内周面３５の径とを加えた距離は、小径鍔部４５の最大径に比べて若干大きく設定されている。換言すれば、パネルユニット３どうしを隣合うように配置した状態において、小径鍔部４５の最大径は、前記間隔と調節凹部２８の小径内周面３５の径とを加えた距離に比べて小さくなるよう設定されている。つまり、調節具３２を調節凹部２８に嵌合するよう取付けた状態では、調節具３２の外周面と調節凹部２８の内面との間に若干の隙間が生じるように設定されている。
【００４６】
そして、調節具３２は調節凹部２８に若干の圧入力をもって嵌合されるものの、パネルユニット３の中心部回りに該圧入力を超える回転力が働いた場合に、前記隙間が埋められるようになり、調節具３２の外周面と調節凹部２８の内面とが当接するものである。しかしながら、調節具３２の外周面と調節凹部２８の内面とが当接したとしても、調節具３２を介してパネルユニット３どうしが連結されているから、調節具３２によってパネルユニット３の不測・不要な回動は抑制されることになる。
さらに、調節具３２の外周面と調節凹部２８の内面との間の隙間を小さくする、あるいは大きくするようにすることで、既に取付けてあるパネルユニット３に隣合うようにパネルユニット３を壁面２方向に微調節しつつ配置して、該パネルユニット３を芯出し位置に配設することができる。
【００４７】
上記のようにしてパネルユニット３を、壁面２に沿って、且つ所定の間隔を置いて隣合うように設置することで、予め設定した個数のパネルユニット３が壁面２に設置されることになる。
【００４８】
そして、本発明の実施形態では、四個の壁面ブロック５どうしを組合わせて一個のパネルユニット３として扱い、これを取付けビス２１だけで取付ける構成であるから、壁面２に取付ける壁面ブロック５が多数あったとしても、四個の壁面ブロック５どうしを組合わせて一個のパネルユニット３として扱う分だけ取付けが容易で作業性が良好である。
【００４９】
しかも、四個の壁面ブロック５どうしを組合わせて一個のパネルユニット３とし、これらパネルユニット３を壁面２に沿う所定の間隔を置いて配置し、調節具３２の外周面と調節凹部２８の内面との間の隙間を小さくする、あるいは大きくするようにすることで、既に取付けてあるパネルユニット３に隣合うようにパネルユニット３を壁面２方向に微調節しつつ配置して、該パネルユニット３を芯出し位置に配設することで、従来のように壁面ブロック５を直接的に隣接するようにして配置することで発生する累積誤差による端部の壁面ブロック５どうしの段差を解消することができる。
【００５０】
図７（ａ），（ｂ），（ｃ）は、調節具３２をその径方向で半割り形状とした調節具３２Ａであり、図８（ａ），（ｂ），（ｃ）は調節具３２Ａをさらに径方向で半割り形状とした調節具３２Ｂである。
【００５１】
調節具３２Ａの基本構成は、調節具３２を、その二隅の円弧状部分をそのまま欠けることなく半割りにした形状であるが、半割り面を平面とすべく、外面を平面とした隠し用壁６１が設けられている。隠し用壁６１は、小径鍔部４５，４６の半割り面間、小径鍔部４７，４８の半割り面間、および大径鍔部５０，５１の半割り面間を塞ぐように設けられるもので、その外面が円柱部４３の半割り面と面一となるように一体的に形成されている。
【００５２】
また、小径鍔部４５および小径鍔部４８の半割り面側端部には、それぞれ長手方向に突出する板片６３が、その外面を円柱部４３の半割り面と面一となるように一体的に形成されている。
【００５３】
この調節具３２Ａは、端部に配置するパネルユニット３において隣合うパネルユニット３どうしの調節凹部２８に渡すように嵌合させて使用する。端部に配置するパネルユニット３において隣合うパネルユニット３どうしの調節凹部２８は、側面から見たとき調節凹部２８の内側の凹凸が見えてしまうから、調節凹部２８に調節具３２Ａをその面一となっている平面が外側に位置するように嵌合することで、隠し用壁６１および円柱部４３の半割り面によって該凹凸を隠すことができ、しかも調節具３２Ａは調節具３２の半割り形状であるから、端部のパネルユニット３の側方へ調節具３２Ａが突出することがない。
【００５４】
また、板片６３がそれぞれ係止壁３３に側方から当接することで、調節具３２Ａが調節凹部２８に入り込んでしまうという状態を回避することができる。
【００５５】
調節具３２Ｂは、端部のパネルユニット３のうち、隅部のパネルユニット３、すなわち二辺の枠体部１２，１３側にパネルユニット３が配置されていないパネルユニット３の調節凹部２８に嵌合して使用するものである。
【００５６】
調節具３２Ｂは、調節具３２を、その一隅の円弧状部分をそのまま欠けることなく４分の一に分割した形状であるが、割り面を平面とすべく、外面を平面とした隠し用壁６２が設けられている。隠し用壁６２は、小径鍔部４５，４６の割り面間、小径鍔部４７，４８の割り面間、および大径鍔部５０，５１の割り面間を塞ぐように設けられるもので、その外面が円柱部４３の割り面と面一となるように一体的に形成されている。
【００５７】
また、小径鍔部４５および小径鍔部４８の割り面側端部には、それぞれ長手方向に突出する板片６４が、その外面を円柱部４３の割り面と面一となるように一体的に形成されている。
【００５８】
端部の隅に配置するパネルユニット３において、該パネルユニット３の調節凹部２８は、側面あるいは上下面から見たとき調節凹部２８の内側の凹凸が見えてしまうから、調節凹部２８に調節具３２Ｂをその面一となっている平面が外側に位置するように嵌合することで、隠し用壁６２および円柱部４３の割り面によって該凹凸を隠すことができ、しかも調節具３２Ｂは調節具３２の分割形状であるから、端部のパネルユニット３の側方、上下方へ調節具３２Ｂが突出することがない。
【００５９】
また、板片６４がそれぞれ係止壁３３に側方から当接することで、調節具３２Ａが調節凹部２８に入り込んでしまうという状態を回避することができる。
【００６０】
図９は、取付けビス２１を中心孔６０に挿入した後に、その頭部２４を隠すための隠し蓋６５を示している。これは、円板状の蓋体６６と、この蓋体６６の裏面外周部から取付けビス２１の軸方向に突出するよう設けられた複数のフック６７から一体的に形成されている。フック６７は蓋体６６の周方向に等間隔で離間して四個設けられている。
【００６１】
フック６７は、基部６８と基部６８の先に設けられた楔形状の係止部７０とから一体的に形成されている。係止部７０は、凹溝１４（１５）の側面１４ａ（１５ａ）に、基部６８の弾性によって係止する係止面７１が形成されている。
【００６２】
図１０は隠し蓋６５の使用状態図を示しており、図示のように、中心孔６０に隠し蓋６５を位置合わせして挿入することで、係止部７０が前部１６の外面に押圧されて縮径するよう弾性変形し、さらに隠し蓋６５を押圧することで、係止面７１が凹溝１４（１５）の側面１４ａ（１５ａ）に、壁面２に垂直な面で係止する。このとき、フック６７の先端部は、凹溝１４（１５）の側面１４ｂ（１５ｂ）に当って、それ以上後方に移動するのを阻止される。
【００６３】
本発明の実施形態に係る壁面パネル構造１では、外枠体６には、正面視して矩形の外枠体６の連続する二辺の枠体部１０，１１の外側面それぞれに、対向する残りの二辺の枠体部１２，１３側に向けて窪む凹溝１４，１５が形成されている。また、凹溝１４，１５どうしが連続する部分に相当する隅部には湾曲壁２０が形成され、二辺の枠体部１０，１１のうちの一方の枠体部１０には凸起２６が形成され、他方の枠体部１１には、隣合う壁面ブロック５の凸起２６が嵌合する嵌合孔２７が形成されている。
【００６４】
この構成によれば、パネルユニット３を組立てるにあたり湾曲壁２０を中心側に位置するようにすれば、凸起２６と嵌合孔２７が嵌合するようになるから、四個の外枠体６を何れの配置としたとしても、同じ形状のパネルユニット３を構成することができるという、組立て作業上での容易さがある。
【００６５】
しかも、対向する残りの二辺の枠体部１２，１３側に向けて窪む凹溝１４，１５を形成し、凹溝１４，１５どうしが連続する部分に相当する隅部を湾曲壁２０とすることで、湾曲壁２０を中心側に位置するようにしてパネルユニット３を組立てれば、一個のパネルユニット３において、常に隣接する壁面ブロック５に連続的な縦横方向の凹溝１４，１５が形成されるようになる。
【００６６】
そしてこのような凹溝１４，１５には、それぞれ棚板等を取付けるための棚柱等を縦横に挿通することが可能であり、したがって壁面パネル構造１の付加価値を向上させることができる。すなわち、凹溝１４，１５を設けていることにより、棚板、棚柱等の装飾用部品を、特別な施工をすることなく取付けることができる。
【００６７】
図１に示す棚柱７５は、中抜きの矩形断面に形成されており、その前面に、矩形の切欠き７６を所定間隔毎に形成している。また一本の棚柱７５の長さは、例えば一個のパネルユニット３の縦方向長さの半分の長さに比べてやや短く形成するようにしておく。これにより、パネルユニット３を設置した後に、縦方向の溝を形成している凹溝１４（１５）に、上方あるいは下方から、隠し蓋６５（フック６７）に当接するまで挿入するように構成している。
【００６８】
例えば棚柱７５の切欠き７６に、棚受け用のアングル７７を取付けるようにする。具体的には、アングル７７の後部に形成された上下の係止片７８を切欠き７６に挿入して係止するようにすることで取付けることができる。
【００６９】
あるいは、横方向の溝となっている凹溝１４（１５）には、取付け具８０を係止するようにして、この取付け具８０に棚板８１を取付けるようにすることも可能である。具体的には図１および図１１に示すように、取付け具８０はその後部に、凹溝１４（１５）の側面１４ａ（１５ａ）に係止するフック８２と、フック８２の側面１４ａ（１５ａ）への係止とともに、前板体７の前面に面どうしで当接する本体部８３とを備える。本体部８３は左右側が開放された断面コ字形に形成され、その挿入口８４に棚板８１の後部を把持し、且つ棚板８１をビス止めするよう構成されている。
なお、パネルユニット３を正面視してその中心に対して前部１６は後部１７に比べて小径（小面積）に形成されているから、隣合う壁面ブロック５の枠体部１０，１１間には壁面２方向の隙間があるから、この隙間から取付け具８０を挿入することが可能である。
【００７０】
上記実施形態では、取付けビス２１は胴部２２と頭部２４とから構成し、胴部２２の外周面に雄ねじを形成した例を示した。ここで、図６に示す取付けビス２１では、その頭部２４の外周面にも雄ねじを形成している。そして、頭部２４の前面頂部にドライバー等の工具用の溝（例えば十字溝）８５を形成している。このような取付けビス２１を用いて、壁面２に取付けビス２１を介して化粧板８６を取付けることが可能である。
【００７１】
具体的に、取付けビス２１に連結する前後方向のポール状の連結部材８７を設けて、この連結部材８７の前部に化粧板８６を支持させるようにしている。連結部材８７の両端部内周面のうち、少なくとも一端側の内周面には雌ねじを形成している。この実施形態では、連結部材８７の両端部内周面の双方に雌ねじを形成している。そして一端側の雌ねじを取付けビス２１の頭部に螺合して連結部材８７をパネルユニット３から前方に突出させ、予め化粧板８６の板面に形成した取付け孔と連結部材８７の他端側とを位置合わせするようにして化粧ねじ８８を取付け孔に挿通し、化粧ねじ８８を連結部材８７の他端側に螺合する。
【００７２】
本発明は上記実施形態に限定されるものではない。ここで、調節具３２の別の実施形態を図１２および図１３に示す。これらの図に示す調節具３２は、前当接部材９０と後当接部材９１とを前後一対で組合わせて構成されるものである。
【００７３】
前当接部材９０は、前円板９２と、この前円板９２の後面から後方に向けて突出する複数本（図では四本）の嵌合脚部材９４とから一体に形成されている。嵌合脚部材９４は前円板９２の後面に周方向に等間隔に離間して配置されている。各嵌合脚部材９４は、その中心に嵌合孔９５を形成した前後方向で同一断面の中抜き円柱状に形成されている。
【００７４】
後当接部材９１は、後円板９６と、この後円板９６の前面から前方に向けて突出する複数本（図では四本）の被嵌合脚部材９３とから一体に形成されている。被嵌合脚部材９３は後円板９６の前面に周方向に等間隔に離間して配置されている。被嵌合脚部材９３は円錐台形状に形成されており、その先端部分の径は嵌合孔９５に比べて小径に形成されており、前後方向途中で嵌合孔９５の径を超える径に形成されている。この被嵌合脚部材９３は、嵌合脚部材９４に後方から内嵌するものである。
【００７５】
前円板９２の中心には雌ねじ孔９７が形成されており、後円板９６の中心には貫通孔９８が形成されている。雌ねじ孔９７は前円板９２の厚み方向途中から形成されており、その前部には調節ボルト１００の大径頭部１０１が挿入されて当接可能な段付き面１０２を有する挿入凹部１０３が形成されている。大径頭部１０１の前面にはレンチ等の工具で調節ボルト１００を回転操作するための工具用凹部１０４が形成されている。
【００７６】
貫通孔９８には、調節ボルト１００の胴部１０５の途中に形成した段部１０６が前後方向で当接する当接面１０７が形成されている。調節ボルト１００の先端部には、抜止め用の止めリング１０８を取付けるための環状溝１１０が形成されている。
なお、調節ボルト１００における胴部１０５の大径頭部１０１側の外周面に雌ねじ孔９７に螺合する雄ねじ１１２が形成されている。
【００７７】
上記構成の前当接部材９０の嵌合脚部材９４に後当接部材９１の被嵌合脚部材９３を嵌合する一方で、調節ボルト１００の雄ねじ１１２を雌ねじ孔９７に螺合するとともに調節ボルト１００の胴部１０５を貫通孔９８に挿通し、環状溝１１０に抜止め用の止めリング１０８を取付ける。
【００７８】
このような調節具３２をパネルユニット３の調節凹部２８（係止壁３３間）に挿入し、上記のようにしてパネルユニット３を壁面２に沿うように配置する。そして、必要に応じて調節ボルト１００を回転させて後円板９６に対する前円板９２の位置を相対的に離間させることで、後円板９６および前円板９２の外周部分をそれぞれ係止壁３３に内側から圧接する。この圧接力により、隣合うパネルユニット３どうしが不測・不要に回動するのを防止することができる。
【００７９】
図１４ないし図１６に第二の実施形態を示す。この第二の実施形態に係る壁面パネル構造１では、図１ないし図１３で示した壁面パネル構造１とは壁面ブロック５の構成が異なっている。
【００８０】
この実施形態に係る壁面ブロック５は、これらの図に示すように、二辺の枠体部１０，１１の、パネルユニット３を壁面２に取付けた際に壁面２側に位置する後部１７が内外二重構造となっている。すなわち、枠体部１０，１１の後部１７は、外後部１７Ａと外後部１７Ａに間隔を置いてその内側に配置された内後部１７Ｂとから構成されている。内後部１７Ｂの内面は前部１６の内面と面一となるよう前部１６に一体的に形成されている。
【００８１】
外後部１７Ａと内後部１７Ｂとは、壁面２方向にほぼ均等間隔に配置されたリブＲにより一体化されている。嵌合孔２７は外後部１７Ａにのみ形成されている。内後部１７Ｂの内面上で且つその後端には、外枠体６を壁面２にビス止めするための一対の取付け片６ａが複数組形成されている。
【００８２】
凹溝１４，１５の前側に、凹溝１４，１５に比べて小幅の凹溝としての小幅溝１９ａ，１９ｂが、凹溝１４，１５に平行に、前後方向に離間して複数本（この場合二条の溝）形成されている。これら小幅溝１９ａ，１９ｂも凹溝１４，１５と同様に、取付け具８０のフック８２（係止部）を係止させるのに用いられる。
【００８３】
小幅溝１９ａ，１９ｂはともに帯状の底面１９ｃ，１９ｄと、底面１９ｃ，１９ｄの幅方向端部から立設する互いに平行な側面１９ｆ，１９ｇによって形成されている。各小幅溝１９ａ，１９ｂの側面１９ｆ，１９ｇのうち、前側の側面１９ｆ，１９ｇは底面１９ｃ，１９ｄから垂直に立上がっている。後側の側面１９ｆ，１９ｇは各小幅溝１９ａ，１９ｂにおいて底面１９ｃ，１９ｄ側の前後幅を反底面１９ｃ，１９ｄ側の前後幅に比べて狭くするよう傾斜して形成されている。
【００８４】
図１６には、一方（前側）の小幅溝１９ａに、取付け具８０を介して装飾用部品１５０を取付けた状態を示している。具体的には取付け具８０はその後部に、小幅溝１９ａの両側面１９ｆ，１９ｇに嵌合係止するフック８２と、フック８２の両側面１９ｆ，１９ｇへの係止とともに、前板体７の前面部に上下方向で当接する本体部８３とを備える。本体部８３は、その挿入口８４に装飾用部品１５０の後部を嵌合把持するよう構成されている。
【００８５】
この場合も上記実施形態と同様に、パネルユニット３を正面視してその中心に対して前部１６は後部１７に比べて小径（小面積）に形成されているから、隣合う壁面ブロック５の枠体部１０，１１間には壁面２方向の隙間があり、この隙間から取付け具８０のフック８２を挿入することが可能である。
【００８６】
しかも、後側の側面１９ｆ，１９ｇは各小幅溝１９ａ，１９ｂにおいて底面１９ｃ，１９ｄ側の前後幅を反底面１９ｃ，１９ｄ側の前後幅に比べて狭くするよう傾斜して形成されている。換言すれば、小幅溝１９ａ，１９ｂの開放側である反底面１９ｃ，１９ｄ側の前後幅は底面１９ｃ，１９ｄ側の前後幅に比べて広く設定されている。この構成により、取付け具８０のフック８２を小幅溝１９ａ，１９ｂに挿入し易い。そして、この構成によれば、装飾用部品１５０の形状、大きさ、長さ等の条件に応じて、使用する凹溝、すなわち凹溝１４，１５、小幅溝１９ａ，１９ｂの何れを使用するかを選択することができる。
【図面の簡単な説明】
【００８７】
【図１】本発明の実施形態を示す壁面パネル構造の取付け状態を示す斜視図
【図２】同じくパネルユニットを構成する壁面ブロックの外枠体の単体斜視図
【図３】同じくパネルユニットを構成する壁面ブロックの底面図
【図４】同じくパネルユニットを構成する壁面ブロックの前板体の単体図で（ａ）は単体底面図、（ｂ）は単体正面図
【図５】同じく調節具の単体図で（ａ）は単体斜視図、（ｂ）は単体平面図、（ｃ）は単体正面図
【図６】同じくパネルユニットどうしの取付け状態を示す側面図
【図７】同じく調節具の単体図で（ａ）は単体斜視図、（ｂ）は単体平面図、（ｃ）は単体正面図
【図８】同じく調節具の単体図で（ａ）は単体斜視図、（ｂ）は単体平面図、（ｃ）は単体正面図
【図９】同じく隠し蓋の単体図で（ａ）は単体斜視図、（ｂ）は単体平面図
【図１０】同じく隠し蓋の使用状態を示す平面図
【図１１】同じく棚板の取付け状態の一例を示す側面図
【図１２】同じく別の実施形態を示す調節具の平面図
【図１３】同じく調節具の前当接部材の単体図で（ａ）は単体斜視図、（ｂ）は単体平面図、（ｃ）は単体正面図
【図１４】本発明の第二の実施形態を示すパネルユニットの背面図
【図１５】同じく壁面ブロックの正面側からの斜視図
【図１６】同じく装飾用部品の取付け状態の他の例を示す側面図
【符号の説明】
【００８８】
１…壁面パネル構造、２…壁面、３…パネルユニット、４…間隔調節手段、５…壁面ブロック、６…外枠体、７…前板体、１０，１１…枠体部、１２，１３…枠体部、１４，１５…凹溝、１７Ａ…外後部、１７Ｂ…内後部、１９ａ，１９ｂ…小幅溝、１９ｃ，１９ｄ…底面、１９ｆ，１９ｇ…側面、２０…湾曲壁、２８…調節凹部、２９…凸起、３０…小径調節凹部、３１…大径調節凹部、３２…調節具、３３…係止壁、４１…平板部、４３…円柱部、４４…鍔部、４５，４６…小径鍔部、４７，４８…小径鍔部、５０，５１…大径鍔部、７５…棚柱、８１…棚板、９３…被嵌合脚部材、９４…嵌合脚部材、１００…調節ボルト
【図１】
2008248672.tif 000003
【図２】
2008248672.tif 000004
【図３】
2008248672.tif 000005
【図４】
2008248672.tif 000006
【図５】
2008248672.tif 000007
【図６】
2008248672.tif 000008
【図７】
2008248672.tif 000009
【図８】
2008248672.tif 000010
【図９】
2008248672.tif 000011
【図１０】
2008248672.tif 000012
【図１１】
2008248672.tif 000013
【図１２】
2008248672.tif 000014
【図１３】
2008248672.tif 000015
【図１４】
2008248672.tif 000016
【図１５】
2008248672.tif 000017
【図１６】
2008248672.tif 000018